(57)【特許請求の範囲】
【請求項１】
パーソナルコンピュータの側面に開口するスロットに挿入されるカード部と、
ユーザの指紋を撮像する撮像部と、該撮像部に対する指の進入方向に対して該撮像部手前に設置されユーザの指が存在することを検出する指検出部とを具備する指紋照合部と、
前記カード部がパーソナルコンピュータの左側面、右側面のいずれに挿入された場合でも前記指検出部が前記撮像部の手前に位置するように前記カード部と前記指紋照合部とを接続する接続部と、を具備する指紋照合ＰＣカードであって、
前記接続部が、
前記カード部上に設置され、少なくとも１つの接続口を有する第１の接続端子と、
前記カード部上に設置され、該第１の接続端子の少なくとも１つの接続口に対して点対称に配列された少なくとも１つの接続口を有する第２の接続端子と、
前記指紋照合部底面に配置され、前記カード部がパーソナルコンピュータの左側面に挿入されたときは前記第１の接続端子と、前記カード部がパーソナルコンピュータの右側面に挿入されたときは前記第２の接続端子と嵌合する１つの被接続端子と、から構成されることを特徴とする指紋照合ＰＣカード。
【請求項２】
パーソナルコンピュータの側面に開口するスロットに挿入されるカード部と、
ユーザの指紋を撮像する撮像部と、該撮像部に対する指の進入方向に対して該撮像部手前に設置されユーザの指が存在することを検出する指検出部とを具備する指紋照合部と、
前記カード部がパーソナルコンピュータの左側面、右側面のいずれに挿入された場合でも前記指検出部が前記撮像部の手前に位置するように前記カード部と前記指紋照合部とを接続する接続部と、を具備する指紋照合ＰＣカードであって、
前記接続部が、
前記カード部上に設置される少なくとも１つの接続口を有する１つの接続端子と、
前記指紋照合部底面に配置され、前記カード部がパーソナルコンピュータの左側面に挿入されたときに前記接続端子と嵌合し、少なくとも１つの接続口を有する第１の被接続端子と、
前記指紋照合部底面に配置され、前記カード部がパーソナルコンピュータの右側面に挿入されたときに前記接続端子と嵌合し、前記第１の被接続端子の少なくとも１つの接続口に対して点対称に配列された少なくとも１つの接続口を有する第２の被接続端子と、から構成されることを特徴とする指紋照合ＰＣカード。
【請求項３】
パーソナルコンピュータの側面に開口するスロットに挿入されるカード部と、
ユーザの指紋を撮像する撮像部と、該撮像部に対する指の進入方向に対して該撮像部手前に設置されユーザの指が存在することを検出する指検出部とを具備する指紋照合部と、
前記カード部がパーソナルコンピュータの左側面、右側面のいずれに挿入された場合でも前記指検出部が前記撮像部の手前に位置するように前記カード部と前記指紋照合部とを接続する接続部と、を具備する指紋照合ＰＣカードであって、
前記接続部が、
前記カード部の一方端に設置される接続端子と、
前記指紋照合部一方の側面に設置され、前記カード部がパーソナルコンピュータの他方の側面に挿入されたときに前記接続端子と嵌合する第１の被接続端子と、
前記指紋照合部他方の側面に設置され、前記カード部がパーソナルコンピュータの一方の側面に挿入されたときに前記接続端子と嵌合する第２の被接続端子と、から構成されることを特徴とする指紋照合ＰＣカード。
【請求項４】
パーソナルコンピュータの側面に開口するスロットに挿入されるカード部と、
ユーザの指紋を撮像する撮像部と、該撮像部に対する指の進入方向に対して該撮像部手前に設置されユーザの指が存在することを検出する指検出部とを具備する指紋照合部と、
前記カード部がパーソナルコンピュータの左側面、右側面のいずれに挿入された場合でも前記指検出部が前記撮像部の手前に位置するように前記カード部と前記指紋照合部とを接続する接続部と、を具備する指紋照合ＰＣカードであって、
前記接続部が、
前記カード部に対して前記指紋照合部を回転可能に係合する回転軸から構成されることを特徴とする指紋照合ＰＣカード。
【請求項５】
パーソナルコンピュータの側面に開口するスロットに挿入されるカード部と、
ユーザの指紋を撮像する１つの撮像部と、該撮像部に対する指の進入方向に対して該撮像部前方および後方に設置されユーザの指が存在することを検出する２つの指検出部とを具備し、ユーザの指紋と予め登録されたユーザの指紋を照合する指紋照合部と、
前記カード部が、パーソナルコンピュータの左側面に挿入されたときに前記２つの指検出部の一方を覆い、パーソナルコンピュータの右側面に挿入されたときに前記２つの指検出部の他方を覆うカバーと、を具備することを特徴とする指紋照合ＰＣカード。
【請求項６】
前記撮像部を走査するためのアドレス生成部と、
前記アドレス生成部で生成されたアドレスによって走査された前記撮像部の出力を記憶する記憶部と、
前記２つの指検出部の一方で指が検出されたときに、前記アドレス生成部で生成されるアドレスをそのまま前記記憶部のアドレス端子に供給する第１のゲート手段と、
前記２つの指検出部の他方で指が検出されたときに、前記記憶部の最大アドレスから前記アドレス生成部で生成されるアドレスを減算した値を前記記憶部のアドレス端子に供給する第２のゲート手段と、から構成される補正手段をさらに具備する請求項５に記載の指紋照合ＰＣカード。
【発明の詳細な説明】
【０００１】
【発明の属する技術分野】
本発明は指紋照合用パーソナルコンピュータ（指紋照合ＰＣカード）に係わり、特に、ＰＣカード挿入スロットがコンピュータの右側に設置されているか、左側に設置されているかに係わらず使用可能な指紋照合ＰＣカード、並びに、押下力によって破損することを防止することの可能な指紋照合ＰＣカードに関する。
【０００２】
【従来の技術】
近年、情報の電子化とネットワークのオープン化は何人でも情報にアクセスすることを可能としたが、企業の秘密情報あるいはプライバシー情報についてはアクセスを厳重な管理下に置くことが重要となる。
現在、各種情報端末における利用者認証方法としてはパスワードを使用する方法が広く適用されているが、パスワードの盗用等安全面は万全ではない。
【０００３】
そこで、安全性を増加するために、利用者自身のバイオメトリクス（生物学的特徴）、特に指紋を利用者認証に使用することが注目されている。
図１は従来の指紋照合ＰＣカードの使用方法説明図であって、指紋照合ＰＣカード１０はＰＣカードの一方の端には指紋照合部１１が搭載されている。指紋照合部１１上面には、指紋を撮像する撮像窓１２ならびに指の侵入方向に対して撮像窓１２の手前に配置され指が指紋照合部１１上に置かれたことを検出する指センサ１３が設けられている。
【０００４】
この指紋照合ＰＣカードをノートブック型パーソナルコンピュータ（ＰＣ）１４の側面に設けられたＰＣカード挿入用スロット１５に差し込み、ＰＣカードの他方の端に設けられているコネクタを介してＰＣと接続することにより、指紋照合ＰＣカードは使用状態となる。
【０００５】
【発明が解決しようとする課題】
しかしながら、上記の従来の指紋照合ＰＣカードには以下の課題が存在する。１つは、ＰＣメーカによってＰＣカード挿入用スロット１５を設ける側面は異なっており撮像窓１２と指センサ１３の位置関係が逆になるため、左側スロット用指紋照合ＰＣカードを右側にＰＣカード挿入用スロットを有するＰＣに挿入すること右側スロット用指紋照合ＰＣカードを左側にＰＣカード挿入用スロットを有するＰＣに挿入することはできないことである。
【０００６】
他の１つは、ＰＣカードはＰＣカード挿入用スロットの奥にあるコネクタによってＰＣに片持ち梁状に固定されるため、指紋照合部１１が指によって押下された場合にはＰＣカードに損傷を与えるおそれもある。
本発明は上記課題に鑑みなされたものであって、ＰＣカード挿入スロットがコンピュータの右側に設置されているか、左側に設置されているかに係わらず使用可能な指紋照合ＰＣカードを提供すること、および、押下力によって破損することを防止することの可能な指紋照合ＰＣカードを提供することを目的とする。
【０００７】
【課題を解決するための手段】
第１の発明に係る指紋照合ＰＣカードは、パーソナルコンピュータの側面に開口するスロットに挿入されるカード部と、ユーザの指紋を撮像する撮像部と撮像部に対する指の進入方向に対して撮像部手前に設置されユーザの指が存在することを検出する指検出部とを具備する指紋照合部と、カード部がパーソナルコンピュータの左側面右側面のいずれに挿入された場合でも指検出部が撮像部の手前に位置するようにカード部と指紋照合部とを接続する接続部と、を具備する。
【０００８】
第２の発明に係る指紋照合ＰＣカードは、接続部が、カード部上に設置され少なくとも１つの接続口を有する第１の接続端子と、カード部上に設置され第１のレセプタクルの少なくとも１つの接続口に対して点対称に配列された少なくとも１つの接続口を有する第２の接続端子と、指紋照合部底面に配置されカード部がパーソナルコンピュータの左側面に挿入されたときは第１の接続端子と、カード部がパーソナルコンピュータの右側面に挿入されたときは第２の接続端子と嵌合する１つの被接続端子と、から構成される。
【０００９】
第３の発明に係る指紋照合ＰＣカードは、接続部が、カード部上に設置される少なくとも１つの接続口を有する１つの接続端子と、指紋照合部底面に配置されカード部がパーソナルコンピュータの左側面に挿入されたときに接続端子と嵌合し少なくとも１つの接続口を有する第１の被接続端子と、指紋照合部底面に配置されカード部がパーソナルコンピュータの右側面に挿入されたときに接続端子と嵌合し第１の被接続端子の少なくとも１つの接続口に対して点対称に配列された少なくとも１つの接続口を有する第２の被接続端子と、から構成される。
【００１０】
第４の発明に係る指紋照合ＰＣカードは、接続部が、カード部の一方端に設置される接続端子と、指紋照合部一方の側面に設置されカード部がパーソナルコンピュータの他方の側面に挿入されたときに接続端子と嵌合する第１の被接続端子と、指紋照合部他方の側面に設置されカード部がパーソナルコンピュータの一方の側面に挿入されたときに接続端子と嵌合する第２の被接続端子と、から構成される。
【００１１】
第５の発明に係る指紋照合ＰＣカードは、接続部が、カード部に対して指紋照合部を回転可能に係合する回転軸から構成される。
第６の発明に係る指紋照合ＰＣカードは、接続部が、カード部と指紋照合部とを接続するケーブルで構成される。
第７の発明に係る指紋照合ＰＣカードは、接続部が、カード部に搭載された無線受信器と、指紋照合部に搭載された無線送信器と、で構成される。
【００１２】
第８の発明に係る指紋照合ＰＣカードは、パーソナルコンピュータの側面に開口するスロットに挿入されるカード部と、ユーザの指紋を撮像する１つの撮像部と撮像部に対する指の進入方向に対して撮像部前方および後方に設置されユーザの指が存在することを検出する２つの指検出部とを具備しユーザの指紋と予め登録されたユーザの指紋を照合する指紋照合部と、カード部がパーソナルコンピュータの左側面に挿入されたときに２つの指検出部の一方を覆いパーソナルコンピュータの右側面に挿入されたときに２つの指検出部の他方を覆うカバーと、を具備する。
【００１３】
以上第１から第８の発明にあっては、ＰＣカードの挿入方向に係わらず指検出部が撮像部の手前に位置するように接続部によってカード部と指紋照合部とが接続される。
第９の発明に係る指紋照合ＰＣカードは、撮像部を走査するためのアドレス生成部と、アドレス生成部で生成されたアドレスによって走査された撮像部の出力を記憶する記憶部と、２つの指検出部の一方で指が検出されたときにアドレス生成部で生成されるアドレスをそのまま記憶部のアドレス端子に供給する第１のゲート手段と、２つの指検出部の他方で指が検出されたときに記憶部の最大アドレスからアドレス生成部で生成されるアドレスを減算した値を記憶部のアドレス端子に供給する第２のゲート手段と、から構成される補正手段をさらに具備する。
【００１４】
第９の発明にあっては、撮像部で相互に反転した指紋を撮像した場合にも記憶部には同一の方向で記憶される。
第１０の発明に係る指紋照合ＰＣカードは、パーソナルコンピュータの側面に開口するスロットに挿入されるＰＣカードと、ユーザの指紋を撮像する撮像部と撮像部に対する指の進入方向に対して撮像部の手前に設置されユーザの指が存在することを検出する指検出部とを具備しＰＣカードに接続される指紋照合部と、指紋照合部に印加される押圧力のうちＰＣカードに伝達される成分を減小する指紋照合部支持手段と、を具備する。
【００１５】
第１１の発明に係る指紋照合ＰＣカードは、指紋照合部支持手段が、指紋照合部に垂直に穿孔された貫通孔を周動可能に貫通する支持棒と、支持棒の底面がパーソナルコンピュータの搭載面に接触する位置に支持棒を繋止する繋止手段と、から構成される。
第１２の発明に係る指紋照合ＰＣカードは、指紋照合部支持手段が、指紋照合部に垂直に穿孔されたネジ孔に嵌合し指紋照合部の下方から挿入されるボルトで構成される。
【００１６】
第１３の発明に係る指紋照合ＰＣカードは、指紋照合部支持手段が、指紋照合部をパーソナルコンピュータのキーボード部に直接係合する直接係合手段で構成される。
第１４の発明に係る指紋照合ＰＣカードは、指紋照合部支持手段が、指紋照合部を指紋照合時に前記指紋照合部底面を親指で支持可能なようにＰＣカードに垂直な円内で回転可能に前記ＰＣカードに支持する回転支持機構で構成される。
【００１７】
第１５の発明に係る指紋照合ＰＣカードは、指紋照合部支持手段が、ＰＣカードの端部に設けたＰＣカードに対して垂直なスライド板と、指紋照合部に設けられスライド板が貫通する貫通孔と、で構成される。
第１０から１５の発明にあっては、指紋照合部支持手段によって指紋照合部に印加される押圧力のうちＰＣカードに伝達される成分が低減される。
【００１８】
【発明の実施の形態】
図２は本発明に係る指紋照合ＰＣカードの第１の実施形態の斜視図であって、ＰＣカード１０の一方端上面には２つのレセプタクル２１および２２が上向きに設置されている。なお、レセプタクル２１とレセプタクル２２は点対称の関係に配置されている。
【００１９】
さらに、指紋照合部１１の底面には中心からオフセットした位置にインサート２３が設置されている。
ＰＣの左側に設けられたスロットに指紋照合ＰＣカードを挿入する場合には、指紋照合部１１をインサート２３とレセプタクル２１とが嵌合するようにＰＣカード１０に取り付ける。
【００２０】
逆に、ＰＣの右側に設けられたスロットに指紋照合ＰＣカードを挿入する場合には、指紋照合部１１を１８０度回転させた指紋照合部１１’をインサート２３’とレセプタクル２２とが嵌合するようにＰＣカード１０に取り付ける。
なお、上記の第１の実施形態において、レセプタクルとインサートとを入れ換えることも可能である。
【００２１】
さらに、ＰＣカードに１つのレセプタクル（インサート）を、指紋照合部１１の底面に２つのインサート（レセプタクル）を設置することも可能である。
図３は本発明に係る指紋照合ＰＣカードの第２の実施形態の斜視図であって、ＰＣカード１０の一方端側面にＰＣカード１０と指紋照合部１１とを接合するためのインサート２４が設けられている。
【００２２】
指紋照合部１１の両側面にはインサート２４が挿入されるレセプタクル２５および２５’が設けられる。
即ち、指紋照合部１１を指紋照合部１１の右側面に設けられたレセプタクル２５’によってＰＣカード１０と接合した場合には、そのＰＣカード１０は左側面にＰＣカード挿入用スロットを有するＰＣに対して使用でき、指紋照合部１１はＰＣの左側に配置される。
【００２３】
逆に、指紋照合部１１を指紋照合部１１の左側面に設けられたレセプタクル２５によってＰＣカード１０と接合した場合には、そのＰＣカード１０は右側面にＰＣカード挿入用スロットを有するＰＣに対して使用でき、指紋照合部１１はＰＣの右側に配置される。
図４は本発明に係る指紋照合ＰＣカードの第３の実施形態の斜視図であって、ＰＣカード１０の一方端に指紋照合部１１が軸２６を中心として回転可能に搭載される。
【００２４】
なお、ＰＣカード１０と指紋照合部１１とを接続するケーブルの断線を防止するために、指紋照合部１１の回転角度を１８０度に制限する機構を設けることが望ましい。
左側面にＰＣカード挿入用スロットを有するＰＣに対して使用したＰＣカード１０を右側面にＰＣカード挿入用スロットを有するＰＣに対して使用するときには、指紋照合部１１を１８０度回転すればよい。
【００２５】
図５は本発明に係る指紋照合ＰＣカードの第４の実施形態の斜視図であって、指紋照合部１１上面に中央に撮像窓１２、およびこの撮像窓１２に対して対称位置に２つの指センサ１３および１３’が設置されている。さらに、一方の指センサを覆い使用方向を明確にするために指カバー２７を使用する。
即ち、左側にＰＣスロットを有するＰＣに差し込む場合は指センサ１３’を指カバー２７で覆い、右側にＰＣスロットを有するＰＣに差し込む場合は指センサ１３を指カバー２７で覆う。
【００２６】
しかし、第４の実施形態ではＰＣカードを左側から差し込んだ時と右側から差し込んだ時とでは、撮像窓１２の奥に配置される撮像素子（図示せず。）に対する指の上下関係が反転するため、それぞれに対応した指紋パターンを記憶する必要があるが、メモリ容量を増加する必要があるだけでなく指紋照合時間も長くなることは避けることができない。
【００２７】
図６は撮像素子による指紋の撮像図であって、（Ａ）はＰＣカードを左側から差し込んだ時の撮像図、（Ｂ）はＰＣカードを右側から差し込んだ時の撮像図である。
この撮像図を左上から右下に向かって走査してＰＣに取り込むと、ＰＣカードを左側から差し込んだ時と右側から差し込んだ時とではメモリに記憶されるデータは上下左右が反転してしまう。
【００２８】
図７は上記課題を解決するために使用する補正回路の１つの実施例であって、アドレス生成部７１から出力されるアドレスは撮像窓１３の奥に配置される撮像素子７２および第１のゲート群７４および第２のゲート群７５に供給される。
即ち、アドレスは第１の論理積ゲート群７４の一方の入力端子に直接入力されるのに対し、第２の論理積ゲート群７５の一方の入力端子に反転して入力される。なお、各ゲート群はそれぞれアドレスビット数のゲートから構成される。
【００２９】
また、第１の論理積ゲート群７４の他方の入力端子には指センサ１３が、第２の論理積ゲート群７５の他方の入力端子には指センサ１３’が接続される。
そして第１の論理積ゲート群７４の出力および第２の論理積ゲート群７５の出力は論理和ゲート群７６を介してメモリ７３のアドレス端子に接続される。
従って指センサ１３によって指が検出されたとき、即ちＰＣカードがＰＣの左側から挿入されたときには、撮像素子７２から出力される撮像データは撮像素子７２の走査順序そのままの順序でメモリ７３に記憶される。逆に、指センサ１３’によって指が検出されたとき、即ちＰＣカードがＰＣの右側から挿入されたときには、撮像素子７２から出力されるデータは撮像素子７２の走査順序と反対順序でメモリ７３に記憶される。
【００３０】
この補正回路を使用することによりメモリ７３に予め記憶させておく基準指紋パターンは１つで足り、メモリ容量が低減されるとともに照合時間も短縮される。
図８は本発明に係る指紋照合ＰＣカードの第５の実施形態の斜視図であって、ＰＣカード１０と指紋照合部１１とはケーブル２８で接続されている。
【００３１】
従って、ＰＣカード１０のＰＣへの挿入方向に係わらず指紋照合部１１をＰＣの左側右側のいずれにも配置することが可能となる。
図９は本発明に係る指紋照合ＰＣカードの第６の実施形態の斜視図であって、ＰＣカード１０に無線受信器２９１を、指紋照合部１１に無線送信器２９２を搭載する。
【００３２】
従って、指紋照合部１１での検出結果は無線でＰＣカード１０に伝送されるのでＰＣカード１０のＰＣへの挿入方向に係わらず指紋照合部１１をＰＣの左側右側のいずれにも配置することが可能となる。
上記第１ないし第４の実施形態の指紋照合ＰＣカードにあっては、ＰＣカードはＰＣカード挿入用スロットの奥にあるコネクタによってＰＣに片持ち梁状に固定されるため撮像窓１２に指を押下したときＰＣカードを破損するおそれがある。特に本人が照合を行っているにも係わらず、不一致が検出されたときにはユーザにより一層強く押下されがちであるため一層破損し易くなる。
【００３３】
図１０は本発明に係る指紋照合ＰＣカードの第７の実施形態の斜視図であって、指紋照合用ＰＣカードがＰＣ１４のスロットに挿入された状態を示す。従って、指紋照合部１１はＰＣ１４側面と接触した状態にある。
そして、指紋照合部１１の上端には凸部１１１が設けられ、この凸部１１１には上下に貫通孔が穿孔されている。この貫通孔に挿入された支持棒１１２はその底面がＰＣ１４の置台に接触する長さに調整され、凸部１１１に水平に挿入された固定ネジ１１３で固定される。
【００３４】
本実施例によれば、押下力の大部分は支持棒１１２を介して置台に伝達されるためＰＣカードの破損が防止される。
図１１は本発明に係る指紋照合ＰＣカードの第８の実施形態の斜視図であって、指紋照合部１１の上端に設けられた凸部１１１に穿孔された貫通孔にネジ溝を切り、下方からボルト１１４をねじ込んでいる。
【００３５】
この実施例によれば、押下力の大部分はボルト１１４を介して置台に伝達されるためＰＣカードの破損が防止される。
図１２は本発明に係る指紋照合ＰＣカードの第９の実施形態の斜視図であって、ＰＣカードはスロットに挿入されるとともに、指紋照合部１１は２つのＬ字型留具１１５および１１６によってＰＣ１４のキーボードの縁に固定される。
【００３６】
即ち、第１のＬ字型留具１１５の短片はボルト１１７によって指紋照合部１１に固定され、第２のＬ字型留具１１６の短片はキーボードの縁に引っ掛けられている。第１のＬ字型留具１１５の長円の穿孔された長片と第２のＬ字型留具１１６のネジ孔の穿孔された長片は相互に重ね合わされ、ボルト１１８によって固定される。
【００３７】
この実施例によれば、押下力の大部分は２つのＬ字型留具１１５および１１６によってＰＣ本体に伝達されるために、ＰＣカードの破損が防止される。
図１３は本発明に係る指紋照合ＰＣカードの第１０の実施形態の斜視図であって、ＰＣカードの１つの隅に支柱１３１が設けられる。この支柱１３１には水平に回転軸１３２が嵌合され、この回転軸１３２には指紋照合部１１が接続される。そして、指紋照合部１１は回転軸１３２の回りに回転可能である。
【００３８】
指紋照合時には指紋照合部１１の上面の指センサ１２および撮像窓１３に人指し指を置き、指紋照合部１１の下面を親指で支える。
この実施例によれば、指紋照合部１１の下面を親指で支えながら指紋照合が行われるため人指し指の押下力によるＰＣカードの破損が防止される。
図１４は本発明に係る指紋照合ＰＣカードの第１１の実施形態の斜視図であって、ＰＣカード１０の一端には垂直なスライド板１０１が設けられている。
【００３９】
指紋照合部１１には貫通窓が穿孔されておりスライド板１０１に嵌合される。従って、指紋照合部１１はスライド板１０１に沿って上下に移動可能であり、留めネジ１４１によって適当な位置に固定することができる。
この実施例によれば、指の押下力はＰＣカード１０の挿入方向に作用するため、ＰＣカードの破損が防止される。
【００４０】
【発明の効果】
第１から第８の発明に係る指紋照合ＰＣカードによれば、同一のＰＣカードを右側にＰＣカード挿入スロットを具備するＰＣに対しても、左側にＰＣカード挿入スロットを具備するＰＣに対しても挿着することが可能となる。
第９の発明に係る指紋照合ＰＣカードによれば、ＰＣカードを左側に挿着した場合に撮像部で撮影された指紋と右側の挿着した場合に撮像部で撮影された指紋とが相互に逆であっても、記憶部には同一の方向に記憶され、記憶部の容量を低減することが可能である。
【００４１】
第１０から第１５の発明に係る指紋照合ＰＣカードによれば、指紋照合時に指紋照合部に印加される押下力は大部分指紋照合部支持手段で受け止められるため、印加される押下力によりカード部が破壊されることを防止することが可能となる。
【図面の簡単な説明】
【図１】従来の指紋照合ＰＣカードの使用方法説明図である。
【図２】本発明に係る指紋照合ＰＣカードの第１の実施形態の斜視図である。
【図３】本発明に係る指紋照合ＰＣカードの第２の実施形態の斜視図である。
【図４】本発明に係る指紋照合ＰＣカードの第３の実施形態の斜視図である。
【図５】本発明に係る指紋照合ＰＣカードの第４の実施形態の斜視図である。
【図６】指紋の撮像部である。
【図７】補正回路の実施例である。
【図８】本発明に係る指紋照合ＰＣカードの第５の実施形態の斜視図である。
【図９】本発明に係る指紋照合ＰＣカードの第６の実施形態の斜視図である。
【図１０】本発明に係る指紋照合ＰＣカードの第７の実施形態の斜視図である。
【図１１】本発明に係る指紋照合ＰＣカードの第８の実施形態の斜視図である。
【図１２】本発明に係る指紋照合ＰＣカードの第９の実施形態の斜視図である。
【図１３】本発明に係る指紋照合ＰＣカードの第１０の実施形態の斜視図である。
【図１４】本発明に係る指紋照合ＰＣカードの第１１の実施形態の斜視図である。
【符号の説明】
１０…ＰＣカード
１１…指紋照合部
１２…撮像窓
１３、１３’…指センサ
１４…ＰＣ
１５…ＰＣカード挿入スロット
２１、２２、２５、２５’…レセプタクル
２３、２４…インサート
２６…回転軸
２７…カバー
２８…ケーブル
２９１…受信器
２９２…送信器
１１１…凸部
１１２…支持棒
１１３…固定ネジ
１１４…ボルト
１１５、１１６…留め具
１３１…支柱
１３２…回転軸
１０１…スライド板
１４１…留めネジ
【図１】
0004115016.tif 000002
【図２】
0004115016.tif 000003
【図３】
0004115016.tif 000004
【図４】
0004115016.tif 000005
【図５】
0004115016.tif 000006
【図６】
0004115016.tif 000007
【図７】
0004115016.tif 000008
【図８】
0004115016.tif 000009
【図９】
0004115016.tif 000010
【図１０】
0004115016.tif 000011
【図１１】
0004115016.tif 000012
【図１２】
0004115016.tif 000013
【図１３】
0004115016.tif 000014
【図１４】
0004115016.tif 000015